(57)【要約】【課題】画像形成装置において、トナー排出のための画像パターンの形成を行うことなく連続紙に連続して印刷できる距離をユーザーが把握できるようにする。【解決手段】画像形成装置１００の制御部１０１によれば、ジョブの画像データに基づいて用紙Ｐ（連続紙）に形成する画像のカバレッジを算出し、算出したカバレッジに基づいて、用紙Ｐに連続して印刷可能な連続印刷可能距離を決定し、決定した連続印刷可能距離を画像形成部４０による印刷開始前に表示部２１に表示させる。【選択図】図３
2020008718.tif 000002
【特許請求の範囲】
【請求項１】
ジョブの画像情報に基づいて像担持体上に静電潜像を形成してトナーにより現像し、前記像担持体に形成されたトナー像を連続紙に転写して画像を印刷する画像形成部と、
前記ジョブの画像情報に基づいて前記連続紙に形成する画像のカバレッジを算出し、算出したカバレッジに基づいて、前記連続紙に連続して印刷可能な連続印刷可能距離を決定する制御部と、
前記連続印刷可能距離を前記画像形成部による印刷開始前に報知する報知部と、
を備える画像形成装置。
【請求項２】
前記ジョブの画像情報の画像調整を実施する画像調整部を有し、
前記制御部は、前記画像調整部により画像調整が実施されると、前記画像調整後の前記画像情報に基づいて前記カバレッジを再算出し、再算出した前記カバレッジに基づいて前記連続印刷可能距離を決定する請求項１に記載の画像形成装置。
【請求項３】
前記制御部は、前記画像形成部による印刷開始から所定時間内に前記連続紙に印刷された画像面積の総和を算出し、算出した前記画像面積の総和に基づいて前記画像形成部による印刷動作を停止するか否かを制御する請求項１又は２に記載の画像形成装置。
【請求項４】
前記制御部は、前記ジョブの印刷距離が前記ジョブの画像情報から算出される連続印刷可能距離より長い場合に、ユーザーが前記ジョブの印刷開始を指示した後、前記ジョブの印刷を行うか否かをユーザーに選択させるための選択肢を前記報知部に報知させ、ユーザーによる前記選択肢の選択操作に応じて、前記印刷を開始するか又は中止するかを制御する請求項１〜３のいずれか一項に記載の画像形成装置。
【請求項５】
前記制御部は、さらに、ユーザーに前記ジョブの印刷を行う場合の印刷方法として前記連続印刷可能距離まで印刷する方法又は前記連続印刷可能距離毎に空白を挿入して全て印刷する方法を選択させるための選択肢を前記報知部に報知させ、選択された前記ジョブの印刷方法に基づいて、前記画像形成部に前記ジョブの画像情報に基づく印刷を行わせる請求項４に記載の画像形成装置。
【請求項６】
前記制御部は、さらに、前記連続印刷可能距離の延長方法を前記報知部に報知させる請求項４又は５に記載の画像形成装置。
【請求項７】
前記制御部は、さらに、前記カバレッジを前記報知部に報知させる請求項４〜６のいずれか一項に記載の画像形成装置。
【請求項８】
前記制御部は、さらに、前記ジョブの画像情報の画像調整を指示するための画像調整ボタンを前記報知部としての表示部に表示させ、前記画像調整ボタンが押下された場合に前記ジョブの画像情報の画像調整を実施して前記連続印刷可能距離を変更する請求項４〜７のいずれか一項に記載の画像形成装置。
【請求項９】
前記制御部は、ユーザーが前記ジョブの印刷開始を指示する前に、前記連続印刷可能距離を前記報知部に報知させる請求項１〜８のいずれか一項に記載の画像形成装置。
【請求項１０】
前記制御部は、さらに、前記連続印刷可能距離の延長方法を前記報知部に報知させる請求項９に記載の画像形成装置。
【請求項１１】
前記制御部は、さらに、前記カバレッジを前記報知部に報知させる請求項９又は１０に記載の画像形成装置。
【請求項１２】
前記制御部は、さらに、前記ジョブの画像情報の画像調整を指示するための画像調整ボタンを前記報知部としての表示部に表示させ、前記画像調整ボタンが押下された場合に前記ジョブの画像情報の画像調整を実施して前記連続印刷可能距離を変更する請求項９〜１１のいずれか一項に記載の画像形成装置。
【請求項１３】
前記制御部は、前記ジョブの印刷距離が前記ジョブの画像情報から算出される連続印刷可能距離より長い場合に、前記連続紙に転写する画像にトナーを排出するための第２の画像を追加して印刷することを指示するための操作ボタンを前記報知部としての表示部に表示させ、前記操作ボタンが押下された場合は、前記画像形成部において前記連続紙に前記ジョブに基づく画像を印刷する際に併せて前記第２の画像を印刷させる請求項１〜１２のいずれか一項に記載の画像形成装置。
【発明の詳細な説明】
【技術分野】
【０００１】
本発明は、画像形成装置に関する。
【背景技術】
【０００２】
像担持体に形成された静電潜像をトナーにより現像して用紙に転写する画像形成装置が広く用いられている。このような画像形成装置においては、低カバレッジの画像が連続して印刷されるような場合、現像装置内のトナーは画像形成に用いられることなく現像装置内に長く滞留してしまい、長い間撹拌されることにより、トナーが他のトナーやキャリア等に擦られることで劣化し、帯電量が低下する。
【０００３】
カット紙１枚毎に画像形成を行う画像形成装置では、低カバレッジ時に用紙間の画像形成を行わないタイミングで中間転写ベルト上に予め定めた画像パターンを形成し、トナーを排出してトナーの劣化を防止している。しかし、連続紙を用いる場合は、画像間に画像パターンを形成するだけの領域がないため、トナーを排出することができない。そのため、低カバレッジでの連続プリントが長距離続くと、現像装置内のトナーが過度に劣化し、出力した画像にかぶりやトナー飛散などの問題が発生してしまう。
【０００４】
この問題に対して、例えば、特許文献１には、画像情報に基づく画像を連続紙の予め定めた画像領域に形成するのと同時に、連続紙の画像領域外の予め定めたサイド領域に、画像情報に基づく画像形成に使用するトナー排出量と合わせたトナー排出量が予め定めた閾値以上となる画像パターンを形成するようにした画像形成装置が記載されている。また、連続紙での画像の出力距離が予め定めた距離以上となった場合に、連続紙の画像領域外の予め定めたサイド領域にトナー排出用の画像パターンを形成することも提案されている。
【先行技術文献】
【特許文献】
【０００５】
【特許文献１】特許第５７４１６５６号公報
【発明の概要】
【発明が解決しようとする課題】
【０００６】
しかしながら、特許文献１においては、低カバレッジの場合は、現像装置内のトナー劣化に影響しない短い距離の画像形成であっても画像パターンが形成されてしまうので、無駄にトナーを消費してしまう。また、画像の出力距離が予め定めた距離以上となった場合にトナー排出用の画像パターンを形成する技術では、トナー排出が不要な高カバレッジの画像を印刷している場合であっても距離によって画像パターンが形成されてしまうため、無駄にトナーを消費してしまう。また、連続紙の画像領域外のサイド領域に画像パターンを形成するため、ユーザーの印刷可能領域（画像領域）を狭めてしまうこととなる。
【０００７】
他に、劣化したトナーを排出するための技術として、トナー排出が必要になるとジョブを停止して中間転写ベルト等にトナー排出用の画像パターンを形成する技術がある。この技術では、トナーの無駄な消費を抑えることができる。また、印刷可能領域を狭めることもない。しかし、ジョブを途中で止めるため、最低限、転写（一次転写）〜定着間の長さのヤレ紙が発生してしまう。このヤレ紙は、ユーザーが取り除く作業を行わなければならないが、どのくらいの距離を印刷したらジョブが停止してヤレ紙が発生するのかをユーザーが把握することができず、不便であった。
【０００８】
本発明の課題は、画像形成装置において、トナー排出のための画像パターンの形成を行うことなく連続紙に連続して印刷できる距離をユーザーが把握できるようにすることである。
【課題を解決するための手段】
【０００９】
上記課題を解決するため、請求項１に記載の発明の画像形成装置は、
ジョブの画像情報に基づいて像担持体上に静電潜像を形成してトナーにより現像し、前記像担持体に形成されたトナー像を連続紙に転写して画像を印刷する画像形成部と、
前記ジョブの画像情報に基づいて前記連続紙に形成する画像のカバレッジを算出し、算出したカバレッジに基づいて、前記連続紙に連続して印刷可能な連続印刷可能距離を決定する制御部と、
前記連続印刷可能距離を前記画像形成部による印刷開始前に報知する報知部と、
を備える。
【００１０】
請求項２に記載の発明は、請求項１に記載の発明において、
前記ジョブの画像情報の画像調整を実施する画像調整部を有し、
前記制御部は、前記画像調整部により画像調整が実施されると、前記画像調整後の前記画像情報に基づいて前記カバレッジを再算出し、再算出した前記カバレッジに基づいて前記連続印刷可能距離を決定する。
【００１１】
請求項３に記載の発明は、請求項１又は２に記載の発明において、
前記制御部は、前記画像形成部による印刷開始から所定時間内に前記連続紙に印刷された画像面積の総和を算出し、算出した前記画像面積の総和に基づいて前記画像形成部による印刷動作を停止するか否かを制御する。
【００１２】
請求項４に記載の発明は、請求項１〜３のいずれか一項に記載の発明において、
前記制御部は、前記ジョブの印刷距離が前記ジョブの画像情報から算出される連続印刷可能距離より長い場合に、ユーザーが前記ジョブの印刷開始を指示した後、前記ジョブの印刷を行うか否かをユーザーに選択させるための選択肢を前記報知部に報知させ、ユーザーによる前記選択肢の選択操作に応じて、前記印刷を開始するか又は中止するかを制御する。
【００１３】
請求項５に記載の発明は、請求項４に記載の発明において、
前記制御部は、さらに、ユーザーに前記ジョブの印刷を行う場合の印刷方法として前記連続印刷可能距離まで印刷する方法又は前記連続印刷可能距離毎に空白を挿入して全て印刷する方法を選択させるための選択肢を前記報知部に報知させ、選択された前記ジョブの印刷方法に基づいて、前記画像形成部に前記ジョブの画像情報に基づく印刷を行わせる。
【００１４】
請求項６に記載の発明は、請求項４又は５に記載の発明において、
前記制御部は、さらに、前記連続印刷可能距離の延長方法を前記報知部に報知させる。
【００１５】
請求項７に記載の発明は、請求項４〜６のいずれか一項に記載の発明において、
前記制御部は、さらに、前記カバレッジを前記報知部に報知させる。
【００１６】
請求項８に記載の発明は、請求項４〜７のいずれか一項に記載の発明において、
前記制御部は、さらに、前記ジョブの画像情報の画像調整を指示するための画像調整ボタンを前記報知部としての表示部に表示させ、前記画像調整ボタンが押下された場合に前記ジョブの画像情報の画像調整を実施して前記連続印刷可能距離を変更する。
【００１７】
請求項９に記載の発明は、請求項１〜８のいずれか一項に記載の発明において、 
前記制御部は、ユーザーが前記ジョブの印刷開始を指示する前に、前記連続印刷可能距離を前記報知部に報知させる。
【００１８】
請求項１０に記載の発明は、請求項９に記載の発明において、
前記制御部は、さらに、前記連続印刷可能距離の延長方法を前記報知部に報知させる。
【００１９】
請求項１１に記載の発明は、請求項９又は１０に記載の発明において、
前記制御部は、さらに、前記カバレッジを前記報知部に報知させる。
【００２０】
請求項１２に記載の発明は、請求項９〜１１のいずれか一項に記載の発明において、
前記制御部は、さらに、前記ジョブの画像情報の画像調整を指示するための画像調整ボタンを前記報知部としての表示部に表示させ、前記画像調整ボタンが押下された場合に前記ジョブの画像情報の画像調整を実施して前記連続印刷可能距離を変更する。
【００２１】
請求項１３に記載の発明は、請求項１〜１２のいずれか一項に記載の発明において、
前記制御部は、前記ジョブの印刷距離が前記ジョブの画像情報から算出される連続印刷可能距離より長い場合に、前記連続紙に転写する画像にトナーを排出するための第２の画像を追加して印刷することを指示するための操作ボタンを前記報知部としての表示部に表示させ、前記操作ボタンが押下された場合は、前記画像形成部において前記連続紙に前記ジョブに基づく画像を印刷する際に併せて前記第２の画像を印刷させる。
【発明の効果】
【００２２】
本発明によれば、画像形成装置において、トナー排出のための画像パターンの形成を行うことなく連続紙に連続して印刷できる距離をユーザーが把握することが可能となる。
【図面の簡単な説明】
【００２３】
【図１】本実施形態における画像形成装置の全体構成例を示す図である。
【図２】図１の画像形成装置の制御系の主要部を示す図である。
【図３】図２の制御部により実行させる連続印刷制御処理を示すフローチャートである。
【図４】図２の制御部により実行させる連続印刷制御処理を示すフローチャートである。
【図５】ジョブ設定画面の一例を示す図である。
【図６】印刷選択画面の一例を示す図である。
【発明を実施するための形態】
【００２４】
以下、本実施形態を図面に基づいて詳細に説明する。ただし、発明の範囲は図示例に限定されない。
【００２５】
図１は、本実施形態に係る画像形成装置１００の全体構成例を示す図である。図２は、画像形成装置１００の本体部２の制御系の主要部を示す図である。画像形成装置１００は、図１において太線で示すロール状の連続紙（用紙Ｐと呼ぶ）又は枚葉紙（用紙Ｓと呼ぶ）を使用し、用紙Ｐ又は用紙Ｓ上に画像を形成する装置である。
【００２６】
図１に示すように、画像形成装置１００は、用紙Ｐの搬送方向（用紙搬送方向）に沿って上流側から、給紙部１、本体部２および巻き取り部３が接続されて構成されている。給紙部１および巻き取り部３は、用紙Ｐ上に画像を形成する場合に使用される。
【００２７】
給紙部１は、用紙Ｐを本体部２へ給紙する装置である。給紙部１の筐体内では、図１に示すように、用紙Ｐが支持軸Ｘにロール状に巻回されたロール部Ｐ１が回転可能に保持されている。給紙部１は、支持軸Ｘに巻回された用紙Ｐを、例えば、繰り出しローラー、給紙ローラー等の複数の搬送ローラー対を経由して、一定の速度で本体部２へ搬送する。給紙部１の給紙動作は、本体部２が備える制御部１０１によって制御される。
【００２８】
本体部２は、電子写真プロセス技術を利用した中間転写方式のカラー画像形成装置である。すなわち、本体部２は、像担持体としての感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で４色のトナー像を重ね合わせた後、給紙部１から給紙された用紙Ｐ、又は、給紙トレイユニット５１ａ〜５１ｃから送出された用紙Ｓに二次転写することにより、画像を形成する。
【００２９】
図２に示すように、本体部２は、画像読取部１０、操作表示部２０、画像処理部３０、画像形成部４０、用紙搬送部５０、定着部６０、通信部７１、記憶部７２、制御部１０１を備える。
【００３０】
制御部１０１は、ＣＰＵ（Central Processing Unit）１０２、ＲＯＭ（Read Only Memory）１０３、ＲＡＭ（Random Access Memory）１０４等を備える。ＣＰＵ１０２は、ＲＯＭ１０３から処理内容に応じたプログラムを読み出してＲＡＭ１０４に展開し、展開したプログラムと協働して本体部２の各ブロックや、給紙部１、巻き取り部３等の動作を集中制御する。このとき、記憶部７２に格納されている各種データが参照される。記憶部７２は、例えば不揮発性の半導体メモリ（いわゆるフラッシュメモリ）やハードディスクドライブで構成される。
【００３１】
制御部１０１は、通信部７１を介して、ＬＡＮ（Local Area Network）、ＷＡＮ（Wide
Area Network）等の通信ネットワークに接続された外部の装置（例えばパーソナルコンピューター）との間で各種データの送受信を行う。制御部１０１は、例えば、外部の装置から送信されたジョブ（ジョブの設定情報及び画像データ（画像情報））を受信し、ジョブの画像データに基づいて画像形成部４０により用紙Ｐ又は用紙Ｓに画像を印刷させる。通信部７１は、例えばＬＡＮカード等の通信制御カードで構成される。また、制御部１０１は、画像読取部１０により読み取られた画像データに基づいて用紙Ｐ又は用紙Ｓに画像を印刷させる。
【００３２】
画像読取部１０は、ＡＤＦ（Auto Document Feeder）と称される自動原稿給紙部１１および原稿画像走査装置１２（スキャナー）等を備えて構成される。
自動原稿給紙部１１は、原稿トレイに載置された原稿Ｄを搬送機構により搬送して原稿画像走査装置１２へ送り出す。自動原稿給紙部１１により、原稿トレイに載置された多数枚の原稿Ｄの画像（両面を含む）を連続して一挙に読み取ることが可能となる。
原稿画像走査装置１２は、自動原稿給紙部１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み
取る。画像読取部１０は、原稿画像走査装置１２による読取結果に基づいて画像データを生成する。この画像データには、画像処理部３０において所定の画像処理が施される。
【００３３】
操作表示部２０は、例えばタッチパネル付の液晶ディスプレイ（ＬＣＤ：Liquid Crystal Display）で構成され、表示部２１及び操作部２２として機能する。
表示部２１は報知部の一例であり、制御部１０１から入力される表示制御信号に従って、各種操作画面、画像の状態、各機能の動作状況等の表示を行う。
操作部２２は、タッチパネルや、テンキー、スタートボタン等の各種操作キーや操作ボタンを備え、ユーザーによる各種入力操作を受け付けて、操作信号を制御部１０１に出力する。
【００３４】
画像処理部３０は、例えばラスタライズ処理部、色変換部、階調補正部、ハーフトーン処理部等を備え、制御部１０１の制御に従って画像データに各種画像処理を施す。
【００３５】
画像形成部４０は、画像処理済みの画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００３６】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００３７】
画像形成ユニット４１は、露光装置４１１、現像装置４１２、感光体ドラム４１３、帯電装置４１４、及びドラムクリーニング装置４１５等を備える。
【００３８】
感光体ドラム４１３は、例えば、アルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００３９】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成される。
【００４０】
現像装置４１２は、例えば、二成分現像方式の現像装置であり、現像剤担持体としての現像ローラー４１２ａにより感光体ドラム４１３の表面に各色成分のトナーを付着させることにより静電潜像を可視化してトナー像を形成する。
【００４１】
ドラムクリーニング装置４１５は、感光体ドラム４１３の表面に摺接されるドラムクリーニングブレードや感光体ドラム４１３の表面に潤滑剤を塗布する潤滑剤塗布装置等を有し、一次転写後に感光体ドラム４１３の表面に残存する転写残トナーを除去する。
【００４２】
中間転写ユニット４２は、像担持体としての中間転写ベルト４２１、一次転写ローラー４２２、複数の支持ローラー４２３、二次転写ローラー４２４、及びベルトクリーニング装置４２６等を備える。
【００４３】
中間転写ベルト４２１は無端状ベルトで構成され、複数の支持ローラー４２３にループ状に張架される。複数の支持ローラー４２３のうちの少なくとも１つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部における中間転写ベルト４２１の走行速度を一定に保持しやすくなる。駆動ローラー４２３Ａが回転することにより、中間転写ベルト４２１は矢印Ａ方向に一定速度で走行する。
【００４４】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップ部が形成される。
【００４５】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｐ又は用紙Ｓへトナー像を転写するための二次転写ニップ部が形成される。なお、二次転写ローラー４２４に代えて、二次転写ローラー４２４を含む複数の支持ローラーに、二次転写ベルトがループ状に張架された構成であるいわゆるベルト式の二次転写ユニットを採用しても良い。
【００４６】
一次転写ニップ部を中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側、つまり一次転写ローラー４２２と当接する側にトナーと逆極性の電荷を付与することにより、トナー像は中間転写ベルト４２１に静電的に転写される。
【００４７】
その後、用紙Ｐ又は用紙Ｓが二次転写ニップ部を通過する際、中間転写ベルト４２１上のトナー像が用紙Ｐ又は用紙Ｓに二次転写される。具体的には、二次転写ローラー４２４に二次転写バイアスを印加し、用紙Ｐ又は用紙Ｓの裏面側、つまり二次転写ローラー４２４と当接する側にトナーと逆極性の電荷を付与することにより、トナー像は用紙Ｐ又は用紙Ｓに静電的に転写される。トナー像が転写された用紙Ｐ又は用紙Ｓは定着部６０に向けて搬送される。
【００４８】
ベルトクリーニング装置４２６は、二次転写後に中間転写ベルト４２１の表面に残留する転写残トナーを除去する。
【００４９】
定着部６０は、トナー像が二次転写され、搬送されてきた用紙Ｐ又は用紙Ｓを定着ニップで加熱、加圧することにより、用紙Ｐ又は用紙Ｓにトナー像を定着させる。
【００５０】
用紙搬送部５０は、給紙トレイユニット５１ａ〜５１ｃ、排紙部５２、及び搬送経路部５３等を備える。給紙トレイユニット５１ａ〜５１ｃには、坪量やサイズ等に基づいて識別された用紙Ｓ（規格用紙、特殊用紙）が予め設定された種類毎に収容される。搬送経路部５３は、複数の搬送ローラー対を有する。
【００５１】
給紙トレイユニット５１ａ〜５１ｃに収容されている用紙Ｓは、最上部から一枚ずつ送出され、搬送経路部５３により画像形成部４０に搬送される。画像形成部４０においては、中間転写ベルト４２１のトナー像が用紙Ｓの一方の面に一括して二次転写され、定着部６０において定着工程が施されて排出される。また、給紙部１から本体部２へ給紙された用紙Ｐは、搬送経路部５３によりテンションをかけながら画像形成部４０に搬送される。そして、画像形成部４０において、中間転写ベルト４２１のトナー像が用紙Ｐの一方の面に一括して二次転写され、定着部６０において定着工程が施される。画像形成された用紙Ｐは、搬送ローラー対（排紙ローラー対）５２ａを備えた排紙部５２により巻き取り部３に搬送される。
【００５２】
巻き取り部３は、本体部２から搬送されてきた用紙Ｐを巻き取る装置である。巻き取り部３の筐体内では、例えば、用紙Ｐが支持軸Ｚに巻回されてロール状に保持される。そのために、巻き取り部３は、本体部２から搬送されてきた用紙Ｐを、複数の搬送ローラー対（例えば、繰り出しローラー、排紙ローラー）を経由して、一定の速度で支持軸に巻き取る。巻き取り部３の巻き取り動作は、本体部２が備える制御部１０１によって制御される。
【００５３】
次に、本体部２において用紙Ｐ（連続紙）に印刷を行う場合の動作について説明する。
図３〜図４は、用紙Ｐに印刷を行う際に制御部１０１により実行される連続印刷制御処理の流れを示すフローチャートである。連続印刷制御処理は、制御部１０１のＣＰＵとＲＯＭに記憶されているプログラムとの協働により実行される。
【００５４】
制御部１０１は、通信部７１により外部の装置から送信されたジョブが受信されると、受信したジョブ（ジョブの設定情報及び画像データ）を記憶部７２に記憶させる（ステップＳ１）。ジョブの設定情報には、用紙幅、紙種、厚み、設定部数等が含まれる。
【００５５】
次いで、制御部１０１は、ジョブの画像データに基づいて、Ｙ、Ｍ、Ｃ、Ｋの各色ごとにカバレッジを算出する（ステップＳ２）。
ここで、一般的に、連続紙を用いた印刷では、所定サイズ単位の印刷可能領域に画像が印刷される処理が繰り返される。各印刷可能領域には同じ画像を繰り返し印刷することもできるし、異なる画像を印刷することもできる。ステップＳ２においては、ジョブの画像データに基づいて、各印刷可能領域に印刷する画像のカバレッジ（画像面積／印刷可能領域面積×１００％）を算出し、その平均値をジョブ全体のカバレッジとして算出する。
【００５６】
次いで、制御部１０１は、算出したカバレッジが全色３％以上であるか否かを判断する（ステップＳ３）。
算出したカバレッジが全色３％以上ではない（１色でも３％未満のものがある）と判断した場合（ステップＳ３；ＮＯ）、制御部１０１は、連続印刷可能距離を３００ｍに決定し（ステップＳ４）、連続印刷可能距離と連続印刷可能距離の延長方法（どのようにしたら連続印刷可能距離を延長できるか）を含むジョブ設定画面２１１を表示部２１に表示させ（ステップＳ７）、ステップＳ１０に移行する。
【００５７】
算出したカバレッジが全色３％以上であると判断した場合（ステップＳ３；ＹＥＳ）、制御部１０１は、算出したカバレッジが全色５％以上であるか否かを判断する（ステップＳ５）。
算出したカバレッジが全色５％以上ではない（１色でも５％未満のものがある）と判断した場合（ステップＳ５；ＮＯ）、制御部１０１は、連続印刷可能距離を１０００ｍに決定し（ステップＳ６）、連続印刷可能距離と連続印刷可能距離の延長方法を含むジョブ設定画面２１１を表示部２１に表示させ（ステップＳ７）、ステップＳ１０に移行する。
【００５８】
算出したカバレッジが全色５％以上であると判断した場合（ステップＳ５；ＹＥＳ）、制御部１０１は、連続印刷可能距離を制限無しに決定し（ステップＳ８）、連続印刷可能距離（制限無し）を含むジョブ設定画面２１１を表示部２１に表示させ（ステップＳ９）、ステップＳ１０に移行する。
【００５９】
ここで、電子写真方式の画像形成装置では、低カバレッジのトナー画像が連続して印刷されるような場合、現像装置内のトナーは画像形成に用いられることなく現像装置内に長く滞留してしまい、長い間撹拌されることにより、トナーが他のトナーやキャリア等に擦られることで劣化し、帯電量が低下する。カット紙（枚葉紙）１枚毎に画像形成を行う画像形成装置では、低カバレッジ時に用紙間の画像形成を行わないタイミングで中間転写ベルト上に予め定めた画像パターンを形成し、トナーを排出してトナーの劣化を防止している。しかし、連続紙を用いる場合は、画像間で画像パターンを形成することができない。そこで、従来、連続紙の画像領域外の予め定めたサイド領域にトナー排出用の画像パターン（後述する第２の画像に相当）を形成することが行われている。しかし、トナー劣化に影響しない印刷距離や高カバレッジでも画像パターンを形成するため、無駄にトナーを消費してしまう、印刷可能領域を狭めてしまう等の問題点がある。一方、トナー排出が必要になった時点でジョブを停止して中間転写ベルト等にトナー排出用の画像パターンを形成することで、無駄なトナー消費をすることなくトナー劣化を防止することができるが、どの程度の距離まで連続して印刷できるのか、いつジョブが停止してヤレ紙が発生するのか等をユーザーが把握することができず、不便であった。
【００６０】
そこで、本実施形態では、上述のステップＳ２〜Ｓ９を実行することにより、ジョブの画像データに基づいてカバレッジを算出し、算出したカバレッジに基づいて、トナー排出のための画像パターンの形成を行うことなく（すなわち、トナーが劣化することなく）用紙Ｐに連続して印刷可能な連続印刷可能距離を決定して表示部２１に表示する。これにより、ユーザーは、どの程度の距離まで連続して印刷できるのか、いつジョブが停止してヤレ紙が発生するのかを把握することができるので、作業の利便性を向上させることができる。なお、ステップＳ３〜Ｓ９におけるカバレッジと連続印刷可能距離との関係は、予め実験によって求められたものである。
【００６１】
図５は、ステップＳ７及びＳ９において表示部２１に表示されるジョブ設定画面２１１の一例を示す図である。図５に示すように、ジョブ設定画面２１１は、ジョブの設定情報（設定部数、用紙幅、紙種、厚み等）やプレビュー画像が表示された画面であり、連続印刷可能距離が決定されると、各色のカバレッジ２１１ａ、印刷距離設定（ジョブの画像データと設定部数に基づいて決定されるジョブの印刷距離）２１１ｂ、連続印刷可能距離２１１ｃが表示される。また、連続印刷可能距離に制限があり、印刷距離設定が連続印刷可能距離より長い場合、連続印刷可能距離の延長方法２１１ｄ、画像調整を指示するための画像調整ボタン２１１ｅ及びトナー排出のための帯（第２の画像）を用紙Ｐの端部に追加して印刷することを指示するための帯追加ボタン２１１ｆが表示される。
【００６２】
ユーザーは、連続印刷可能距離２１１ｃを参照することにより、トナー排出のための画像パターンを形成することなく用紙Ｐにどの程度の距離まで連続して印刷できるのか、いつジョブが停止してヤレ紙が発生するのかを把握することができる。また、延長方法２１１ｄを参照することにより、どのようにすれば連続印刷可能距離を延長することができるかを認識することができる。また、カバレッジ２１１ａを参照することにより、印刷するジョブのカバレッジがどの程度であるのかを認識することができる。
また、ジョブ設定画面２１１には、画像調整ボタン２１１ｅが設けられているので、ユーザーは、連続印刷可能距離が十分でない場合、ただちに画像調整を行って連続印刷可能距離を変更することができる。また、帯追加ボタン２１１ｆが設けられているので、ユーザーは、トナーを多く消費してもジョブを停止したくない場合に、第２の画像の形成を指示することができる。
【００６３】
操作部２２により画像調整ボタン２１１ｅが押下されると（ステップＳ１０；ＹＥＳ）、制御部１０１は、表示部２１に画像調整画面（図示せず）を表示して、ユーザー操作に応じてジョブの画像データの画像調整を行い（ステップＳ１１）、ステップＳ２に戻る。画像調整とは、例えば、トーンカーブ調整、濃度変更等が挙げられる。画像調整を実施して連続印刷可能距離の延長方法２１１ｄで指摘された色を増やすことにより、連続印刷可能距離を延長することができる。
【００６４】
なお、画像調整ボタン２１１ｅが押下された際に、画面上で画像調整を行うかジョブの画像データを調整して送り直すかを選択するためのポップアップ画面等を表示部２１に表示することとしてもよい。ユーザーは、ジョブの画像データを調整して送り直すことを選択して、外部の装置で画像調整を実施して送り直すことができる。画像調整された画像データが再送されると、制御部１０１は、調整済みの画像データでジョブの画像データを置き換えてステップＳ２に戻る。
【００６５】
操作部２２により印刷開始ボタン（スタートボタン）が押下されると（ステップＳ１２；ＹＥＳ）、制御部１０１は、連続印刷可能距離＜印刷距離であるか否かを判断する（ステップＳ１３）。
連続印刷可能距離＜印刷距離ではないと判断した場合（ステップＳ１３；ＮＯ）、制御部１０１は、ステップＳ２０に移行する。
連続印刷可能距離＜印刷距離であると判断した場合（ステップＳ１３；ＹＥＳ）、制御部１０１は、表示部２１に印刷選択画面２１２を表示させる（ステップＳ１４）。
【００６６】
図６は、印刷選択画面２１２の一例を示す図である。印刷選択画面２１２は、印刷を行うか否か及び印刷を行う場合の印刷方法をユーザーが選択するための画面である。図６に示すように、印刷選択画面２１２には、「連続印刷の距離を延長するにはＹの色を増やしてください。」等の連続印刷可能距離を延長する方法を示すメッセージ２１２ａ、キャンセルボタン２１２ｂ、「全て出力」ボタン２１２ｃ、「上限まで出力」ボタン２１２ｄ、画像調整ボタン２１２ｅ等が設けられている。キャンセルボタン２１２ｂは、印刷中止を選択するためのボタンである。「全て出力」ボタン２１２ｃは、連続印刷可能な距離（＊＊ｍ）毎に、空白を挿入して（すなわち、ジョブを停止してトナー排出を行って）全て印刷することを選択するためのボタンである。「上限まで出力」ボタン２１２ｄは、連続印刷可能な距離（例えば、＊＊ｍ）までの印刷を選択するためのボタンである。画像調整ボタン２１２ｅは、画像調整を指示するためのボタンである。画像調整ボタン２１２ｅは、ジョブ設定画面２１１の画像調整ボタン２１１ｅと同様の機能を有するボタンである。画像調整により、メッセージ２１２ａで指摘された色を増やすことで、連続印刷可能距離の延長が可能となる。
【００６７】
印刷選択画面２１２によれば、キャンセルボタン２１２ｂ、「全て出力」ボタン２１２ｃ、「上限まで出力」ボタン２１２ｄが設けられているので、ユーザーがジョブの印刷開始を指示した後であっても、ジョブの印刷を行うか否かを選択することができる。また、印刷を行う場合、連続印刷可能距離まで印刷するか又は連続印刷可能距離毎に空白を挿入して全て印刷するかを選択することができる。
また、印刷選択画面２１２には、連続印刷可能距離を延長する方法を示すメッセージ２１２ａが表示されているので、どのようにすれば連続印刷可能距離を延長することができるかをユーザーが認識することができる。また、画像調整ボタン２１２ｅが設けられているので、ユーザーは、連続印刷可能距離が十分でない場合、ただちに画像調整を行って連続印刷可能距離を変更することができる。
【００６８】
なお、本実施形態において、印刷選択画面２１２における「全て出力」ボタン２１２ｃ、「上限まで出力」ボタン２１２ｄの説明文における連続印刷可能距離（＊＊ｍ）は、カバレッジが「１色でも３％未満」で印刷距離設定が３００ｍ以上の場合は、３００ｍ、カバレッジが「全色３％以上５％未満」で印刷距離設定が１０００ｍ以上である場合、１０００ｍである。
印刷選択画面２１２には、ジョブ設定画面２１１と同様に、カバレッジを表示させることとしてもよい。これにより、ユーザーは、印刷するジョブのカバレッジがどの程度であるのかを認識することができる。
【００６９】
制御部１０１は、印刷選択画面２１２において操作部２２により印刷が選択された（すなわち、「全て出力」ボタン２１２ｃ又は「上限まで出力」ボタン２１２ｄが押下された）か否かを判断する（ステップＳ１５）。
【００７０】
操作部２２により印刷が選択されていないと判断した場合（ステップＳ１５；ＮＯ）、制御部１０１は、操作部２２により画像調整ボタン２１２ｅが押下されたか否かを判断する（ステップＳ１６）。
操作部２２により画像調整ボタン２１２ｅが押下されたと判断した場合（ステップＳ１６；ＹＥＳ）、制御部１０１は、表示部２１に画像調整画面（図示せず）を表示して、ユーザー操作に応じてジョブの画像データの画像調整を行い（ステップＳ１７）、カバレッジを再算出して連続印刷可能距離を決定（変更）し（ステップＳ１８）、ステップＳ１３に戻る。
操作部２２により印刷中止が選択された（キャンセルボタン２１２ｂが押下された）と判断した場合（ステップＳ１５；ＮＯ、ステップＳ１６；ＮＯ、ステップＳ１９；ＹＥＳ）、制御部１０１は、連続印刷制御処理を終了する。
【００７１】
一方、操作部２２により印刷が選択されたと判断した場合（ステップＳ１５；ＹＥＳ）、制御部１０１は、ステップＳ２０に移行する。
【００７２】
ステップＳ２０において、制御部１０１は、給紙部１、画像形成部４０、用紙搬送部５０、定着部６０、巻き取り部３等を制御して、ジョブの画像データに基づいて、用紙Ｐへの印刷を開始させる（ステップＳ２０）。
ここで、ジョブ設定画面２１１において帯追加ボタン２１１ｆが押下された場合、制御部１０１は、ジョブに基づく画像と併せてトナー排出のための帯（第２の画像）を用紙Ｐの端部に印刷させる。
また、印刷選択画面２１２において「上限まで出力」が選択された場合、制御部１０１は、ジョブにおける印刷距離が連続印刷可能距離に到達するまで印刷を行わせ、連続印刷可能距離に到達した際に印刷を終了する。
また、印刷選択画面２１２において「全て出力」が選択された場合、制御部１０１は、連続印刷可能距離毎に用紙Ｐの搬送を停止させ、画像形成部４０において中間転写ベルトに４２１にトナー排出用の画像パターンを形成させて現像装置４１２に滞留しているトナーの排出を行わせる。
【００７３】
印刷が開始されると、制御部１０１は、ジョブに基づく印刷が終了したか否かを判断する（ステップＳ２１）。
【００７４】
ジョブに基づく印刷が終了していないと判断した場合（ステップＳ２１；ＮＯ）、制御部１０１は、印刷開始から予め定められた所定時間が経過したか否かを判断する（ステップＳ２２）。印刷開始から予め定められた所定時間が経過していないと判断した場合（ステップＳ２２；ＮＯ）、制御部１０１は、ステップＳ２１に戻る。
【００７５】
印刷開始から予め定められた所定時間が経過したと判断した場合（ステップＳ２２；ＹＥＳ）、制御部１０１は、印刷開始から所定時間までに印刷した画像面積の総和を算出し、算出した総和に基づいて実カバレッジ（実際の印刷のカバレッジ）を算出し、実カバレッジが予測どおりであるか否かを判断する（ステップＳ２３）。
【００７６】
ステップＳ２３においては、例えば、印刷距離が３００ｍとなる時間を実カバレッジを算出する所定時間として、印刷開始から所定時間までに印刷した画像面積の総和及び印刷可能領域の総和を算出し、算出した画像面積の総和／印刷可能領域の総和×１００（％）を実カバレッジとして算出する。そして、ステップＳ２又はＳ１８で算出したカバレッジが全色３％以上であった場合、実カバレッジが全色３％以上であった場合に、実カバレッジが予測どおりであると判断し、実カバレッジが１色でも３％未満である場合に、実カバレッジが予測どおりではないと判断する。なお、ステップＳ２又はＳ１８で算出したカバレッジが１色でも３％未満の場合は、連続して３００ｍ以上印刷することがないため、印刷距離が３００ｍとなる時間を実カバレッジを算出する所定時間とした場合のステップＳ２３の予測は不要であり、ステップＳ２１に戻る。
さらに、例えば、印刷距離が１０００ｍとなる時間を実カバレッジを算出する所定時間として、印刷開始から所定時間までに印刷した画像面積の総和及び印刷可能領域の総和を算出し、算出した画像面積の総和／印刷可能領域の総和×１００（％）を実カバレッジとして算出する。そして、ステップＳ２又はＳ１８で算出したカバレッジが全色５％以上であった場合、実カバレッジが全色５％以上である場合に、実カバレッジが予測どおりであると判断し、実カバレッジが１色でも５％未満である場合に、実カバレッジが予測どおりではないと判断する。なお、ステップＳ２又はＳ１８で算出したカバレッジが１色でも５％未満の場合は、連続して１０００ｍ以上印刷することがないため、印刷距離が１０００ｍとなる時間を実カバレッジを算出する所定時間とした場合のステップＳ２３の予測は不要であり、ステップＳ２１に戻る。
【００７７】
実カバレッジが予測どおりであると判断した場合（ステップＳ２３；ＹＥＳ）、制御部１０１は、ステップＳ２１に戻る。
実カバレッジが予測どおりではないと判断した場合（ステップＳ２３；ＮＯ）、制御部１０１は、印刷を停止してエラーを出力し（ステップＳ２４）、連続印刷制御処理を終了する。ここで、実カバレッジが予測よりも低い場合、印刷を続行すると画像にかぶりやトナー飛散などの問題が発生するため、印刷を停止する。エラーの出力は、表示部２１にエラー表示を行うこととしてもよいし、警告音等を出力してもよい。
【００７８】
ステップＳ２１において、ジョブに基づく印刷が終了したと判断した場合（ステップＳ２１；ＹＥＳ）、制御部１０１は、連続印刷制御処理を終了する。
【００７９】
上記連続印刷制御処理においては、ジョブ内の全画像のカバレッジの平均値をカバレッジとして算出し、算出したカバレッジが予め定められた閾値を超えたか否かに基づいて連続印刷可能距離を決定することとして説明したが、これに限定されない。例えば、ジョブ内の所定のカバレッジ以下の画像総数の距離から連続印刷可能距離を決定することとしてもよい。例えば、ジョブ内の「１色でも３％未満」のカバレッジの画像総数の距離が３００ｍを超えている場合、連続印刷可能距離は３００ｍまでと決定し、「全色３％以上５％未満」のカバレッジの画像総数の距離が１０００ｍを超えている場合、連続印刷可能距離は１０００ｍまでと決定し、「全色５％以上」のカバレッジの画像総数の距離が印刷距離（全画像）である場合、連続印刷可能距離は無制限と決定する。
【００８０】
以上説明したように、画像形成装置１００の制御部１０１によれば、ジョブの画像データに基づいて用紙Ｐ（連続紙）に形成する画像のカバレッジを算出し、算出したカバレッジに基づいて、用紙Ｐに連続して印刷可能な連続印刷可能距離を決定し、決定した連続印刷可能距離を画像形成部４０による印刷開始前に表示部２１に表示させる。
したがって、トナー排出のための画像パターンを形成することなく連続紙に連続して印刷できる連続印刷可能距離をユーザーが把握することが可能となる。
【００８１】
また、制御部１０１は、ジョブの画像データの画像調整が実施されると、画像調整後の画像データに基づいてカバレッジを再算出し、再算出したカバレッジに基づいて連続印刷可能距離を決定する。したがって、画像調整を実施した場合に、画像調整後の連続印刷可能距離をユーザーが把握することが可能となる。
【００８２】
また、制御部１０１は、画像形成部４０による印刷開始から所定時間内に用紙Ｐに印刷された画像面積の総和を算出し、算出した画像面積の総和に基づいて画像形成部４０による印刷動作を停止するか否かを制御する。したがって、実際に印刷された画像面積が予測と合わない場合に、印刷動作を緊急停止させることが可能となる。
【００８３】
また、制御部１０１は、ジョブの印刷距離が、ジョブの画像データから算出したカバレッジに基づいて決定した連続印刷可能距離より長い場合に、ユーザーがジョブの印刷開始を指示した後、ジョブの印刷を行うか否かをユーザーに選択させるための選択肢を表示した印刷選択画面２１２を表示部２１に表示させ、ユーザーによる選択肢の選択操作に応じて、印刷を開始するか又は中止するかを制御する。したがって、ジョブの印刷距離が、ジョブの画像データから算出したカバレッジに基づいて決定した連続印刷可能距離より長い場合は、ユーザーはジョブの印刷開始を指示した後であっても、ジョブの印刷を行うか否かを選択することができる。
【００８４】
また、制御部１０１は、印刷選択画面２１２に、さらに、ユーザーにジョブの印刷を行う場合の印刷方法として連続印刷可能距離まで印刷するか又は連続印刷可能距離毎に空白を挿入して全て印刷するかを選択させるための選択肢を表示し、ユーザーにより選択されたジョブの印刷方法に基づいて、画像形成部４０に印刷を行わせる。したがって、ジョブの印刷距離が、ジョブの画像データから算出したカバレッジに基づいて決定した連続印刷可能距離より長い場合、ユーザーは、連続印刷可能距離まで印刷するか又は連続印刷可能距離毎に空白を挿入して全て印刷するかを選択することができる。
【００８５】
また、制御部１０１は、印刷選択画面２１２に、さらに、連続印刷可能距離の延長方法を表示するので、ユーザーは、どのようにしたら連続印刷可能距離を延長することができるのかを知ることができる。
【００８６】
また、制御部１０１は、印刷選択画面２１２に、さらに、ジョブの画像データのカバレッジを表示するので、ユーザーは、印刷するジョブのカバレッジがどの程度であるのかを認識することができる。
【００８７】
また、制御部１０１は、印刷選択画面２１２に、さらに、ジョブの画像データの画像調整を指示するための画像調整ボタンを表示し、画像調整ボタンが押下された場合にジョブの画像データの画像調整を実施して連続印刷可能距離を変更する。したがって、連続印刷可能距離が十分でない場合、ユーザーは、すぐに画像調整を行って連続印刷可能距離を変更することが可能となる。
【００８８】
また、制御部１０１は、ユーザーがジョブの印刷開始を指示する前に、連続印刷可能距離を表示したジョブ設定画面２１１を表示部２１に表示させる。したがって、ユーザーは、ジョブの印刷開始を指示する前に、連続印刷可能距離を把握しておくことができる。
【００８９】
また、制御部１０１は、ジョブ設定画面２１１に、さらに、連続印刷可能距離の延長方法を表示する。したがって、ユーザーは、どのようにしたら連続印刷可能距離を延長することができるのかを知ることができる。
【００９０】
また、制御部１０１は、ジョブ設定画面２１１に、さらに、ジョブの画像データのカバレッジを表示するので、ユーザーは、印刷するジョブのカバレッジがどの程度であるのかを認識することができる。
【００９１】
また、制御部１０１は、また、ジョブ設定画面２１１に、さらに、ジョブの画像情報の画像調整を指示するための画像調整ボタンを表示し、操作部２２により画像調整ボタンが押下された場合にジョブの画像データの画像調整を実施して連続印刷可能距離を変更する。したがって、連続印刷可能距離が十分でない場合、ユーザーは、すぐに画像調整を行って連続印刷可能距離を変更することが可能となる。
【００９２】
また、制御部１０１は、ジョブの印刷距離が、ジョブの画像データから算出したカバレッジに基づいて決定した連続印刷可能距離より長い場合に、用紙Ｐに転写する画像にトナーを排出するための第２の画像を追加して印刷することを指示するための帯追加ボタンを表示部２１に表示させ、帯追加ボタンが押下された場合は、画像形成部４０において用紙Ｐにジョブに基づく画像を印刷する際に併せて用紙Ｐの端部に第２の画像を印刷させる。したがって、トナー消費量は多くなるがジョブを停止させたくない（ヤレ紙を発生させたくない）場合、トナー排出のための第２の画像を用紙Ｐに印刷してトナー劣化を回避することもできる。
【００９３】
なお、上記実施の形態における記述は、本発明に係る画像形成装置の好適な一例を示すものであり、これに限定されるものではない。
例えば、上記した実施形態では、感光体ドラムに形成された画像を中間転写ベルトに一次転写し、中間転写ベルトから二次転写ローラーにより用紙に画像を転写するカラーの画像形成装置を例にとり説明したが、本発明は、感光体ドラムから転写ローラーにより直接用紙に画像を転写するモノクロの画像形成装置においても適用可能である。
【００９４】
また、上記の説明では、本発明に係るプログラムのコンピュータ読み取り可能な媒体として、ＲＯＭ、不揮発性メモリー、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
また、上記実施形態では、報知部として表示部を一例として挙げたが、報知部は表示により情報を連絡するものに限らず、例えば音声等を用いて情報をユーザーに連絡する手段であっても構わない。
【００９５】
その他、画像形成装置の細部構成及び細部動作に関しても、本発明の趣旨を逸脱することのない範囲で適宜変更可能である。
【符号の説明】
【００９６】
１００  画像形成装置
１  給紙部
２  本体部
３  巻き取り部
１０  画像読取部
２０  操作表示部
２１  表示部
２１１  ジョブ設定画面
２１２  印刷選択画面
２２  操作部
３０  画像処理部
４０  画像形成部
５０  用紙搬送部
６０  定着部
７１  通信部
７２  記憶部
【図１】
2020008718.tif 000003
【図２】
2020008718.tif 000004
【図３】
2020008718.tif 000005
【図４】
2020008718.tif 000006
【図５】
2020008718.tif 000007
【図６】
2020008718.tif 000008